(57)【要約】【課題】  雪下ろしを円滑に行う。【解決手段】  屋根１００を覆うようにシート材Ｓ１を配置し、屋根１００の棟１０１に沿うように回転体Ｒ１を配置し、シート材Ｓ１の上縁部を回転体Ｒ１に巻き付けておく。不図示の回転駆動手段により回転体Ｒ１を回転駆動すると、シート材Ｓ１は矢印Ｄ又はＵの方向に移動される。このような駆動により、シート材Ｓ１上に降り積もっている雪は軒下１０５に落とされる。このような構造によれば、シート材Ｓ１は屋根１００の表面に沿ってスムーズに移動し、それによって、雪下ろしを円滑に行うことができる。【選択図】  図１
2007009531.tif 000002
【特許請求の範囲】
【請求項１】
屋根から雪を下ろすための屋根用落雪装置において、
屋根を覆うように配置される可撓性のシート材と、
回転自在に支持されると共に前記シート材の少なくとも一縁部が連結された回転体と、
該回転体を回転駆動することに基づき前記シート材を屋根に沿って移動させる回転駆動手段と、
を備えたことを特徴とする屋根用落雪装置。
【請求項２】
前記シート材は、上面に凹凸を有する、
ことを特徴とする請求項１に記載の屋根用落雪装置。
【請求項３】
前記シート材は、屋根の棟から軒にかけて配置され、
前記回転体は、屋根の棟に沿うように該棟の上方に配置された長尺状の部材であり、前記シート材の上縁部が連結されてなる第１回転体である、
ことを特徴とする請求項１又は２に記載の屋根用落雪装置。
【請求項４】
前記回転体は、
前記第１回転体、及び
屋根の軒に沿うように配置された長尺状の部材であり、前記シート材の下縁部が連結されてなる第２回転体、
である請求項３に記載の屋根用落雪装置。
【請求項５】
前記シート材は、一方の軒から他方の軒にかけて配置され、
前記回転体は、それぞれの軒に沿うように配置された長尺状の部材であり、前記シート材の各縁部が連結されてなる少なくとも２つの第２回転体である、
ことを特徴とする請求項１又は２に記載の屋根用落雪装置。
【請求項６】
前記回転体は、少なくとも一方の軒の下方に配置された第３回転体であり、
該第３回転体と前記シート材とは可撓性長尺体により連結された、
ことを特徴とする請求項１又は２に記載の屋根用落雪装置。
【請求項７】
前記一方の軒の側に配置されて積雪量を検知する第１積雪量センサと、
前記他方の軒の側に配置されて積雪量を検知する第２積雪量センサと、
これらのセンサに接続されて積雪量を比較する積雪量比較部と、
該積雪量比較部に接続されて積雪量が少ない方に雪を下ろすべく前記回転駆動手段を駆動する駆動制御部と、
を備えた請求項５に記載の屋根用落雪装置。
【請求項８】
前記第２回転体は、位置を変更可能に構成された、
ことを特徴とする請求項４に記載の屋根用落雪装置。
【請求項９】
前記シート材の幅は前記屋根の幅より広く、
前記シート材の幅方向端縁が、前記屋根の幅方向端縁よりも突出するように配置された、
ことを特徴とする請求項１乃至８のいずれか１項に記載の屋根用落雪装置。
【請求項１０】
前記シート材に水を供給する給水手段、
を備えたことを特徴とする請求項１乃至９のいずれか１項に記載の屋根用落雪装置。
【請求項１１】
前記給水手段は、前記シート材に対向するように該シート材の幅方向に沿って延設されると共に複数の孔部を有するパイプ部材であり、該孔部から前記シート材に水を供給するように構成された、
ことを特徴とする請求項１０に記載の屋根用落雪装置。
【請求項１２】
前記シート材は、太陽光の反射率の高い第１シート部と、太陽光の反射率が該第１シート部に比べて低い第２シート部と、からなる、
ことを特徴とする請求項１乃至１１のいずれか１項に記載の屋根用落雪装置。
【発明の詳細な説明】
【技術分野】
【０００１】
本発明は、屋根の雪下ろしを行うための屋根用落雪装置に関する。
【背景技術】
【０００２】
従来、屋根の雪下ろしを行うための装置（本明細書においては屋根用落雪装置とする）に関しては、様々な構造のものが提案されている（例えば、特許文献１，２参照）。
【０００３】
図７は、従来の屋根用落雪装置の構造の一例を示す模式図である。図示の装置２００は、屋根１００の棟１０１に沿って配置された回転ローラ２０１Ａと、軒１０２Ｂに沿って配置された回転ローラ２０１Ｂと、それらの回転ローラ２０１Ａ，２０１Ｂの間に巻き掛けられた無端状のネット２０２と、それらの回転ローラ２０１Ａ，２０１Ｂの間に巻き掛けられたチェーン２０３と、該チェーン２０３を駆動する駆動モータ２０４と、を備えており、ネット２０２を回転駆動することにより雪を下ろすように構成されている。
【特許文献１】特開平０５−２８０１６９号公報
【特許文献２】特開平０９−１８９１４６号公報
【発明の開示】
【発明が解決しようとする課題】
【０００４】
しかしながら、上記従来装置においては、ネット２０２は回転ローラ２０１Ａ，２０１Ｂに張設されているだけなので、雪が降り積もり過ぎるとネット２０２が撓んでしまってスムーズに動かなくなるという問題があった。
【０００５】
本発明は、上述のような問題の無い屋根用落雪装置を提供することを目的とするものである。
【課題を解決するための手段】
【０００６】
請求項１に係る発明は、図１乃至図５に例示するように、屋根（１００）から雪を下ろすための屋根用落雪装置（Ａ１，Ａ２，Ａ３，Ａ４，Ａ５）において、
屋根（１００）を覆うように配置される可撓性のシート材（Ｓ１，Ｓ２，Ｓ３，Ｓ４，Ｓ５）と、
回転自在に支持されると共に前記シート材（Ｓ１，Ｓ２，Ｓ３，Ｓ４，Ｓ５）の少なくとも一縁部が連結された回転体（Ｒ１，Ｒ２，Ｒ３）と、
該回転体（Ｒ１，Ｒ２，Ｒ３）を回転駆動することに基づき前記シート材（Ｓ１，Ｓ２，Ｓ３，Ｓ４，Ｓ５）を屋根（１００）に沿って移動させる回転駆動手段（図３の符号３５Ａ，３５Ｂ参照）と、を備えたことを特徴とする。
【０００７】
請求項２に係る発明は、請求項１に係る発明において、前記シート材（Ｓ１，Ｓ２，Ｓ３，Ｓ４，Ｓ５）は、上面に凹凸を有する、ことを特徴とする。
【０００８】
請求項３に係る発明は、請求項１又は２に記載の発明において、図１に例示するように、前記シート材（Ｓ１）は、屋根（１００）の棟（１０１）から軒（１０２Ａ，１０２Ｂ）にかけて配置され、
前記回転体は、屋根（１００）の棟（１０１）に沿うように該棟（１０１）の上方に配置された長尺状の部材であり、前記シート材（Ｓ１）の上縁部が連結されてなる第１回転体（Ｒ１）である、ことを特徴とする。
【０００９】
請求項４に係る発明は、請求項３に係る発明において、図２に例示するように、前記回転体は、
前記第１回転体（Ｒ１）、及び
屋根（１００）の軒（１０２Ａ又は１０２Ｂ）に沿うように配置された長尺状の部材であり、前記シート材（Ｓ２）の下縁部が連結されてなる第２回転体（Ｒ２）である、ことを特徴とする。
【００１０】
請求項５に係る発明は、請求項１又は２に記載の発明において、図３に例示するように、
前記シート材（Ｓ３）は、一方の軒（１０２Ａ）から他方の軒（１０２Ｂ）にかけて配置され、
前記回転体は、それぞれの軒（１０２Ａ又は１０２Ｂ）に沿うように配置された長尺状の部材であり、前記シート材（Ｓ３）の各縁部が連結されてなる少なくとも２つの第２回転体（Ｒ２）である、ことを特徴とする。
【００１１】
請求項６に係る発明は、請求項１又は２に記載の発明において、図５に例示するように、
前記回転体は、少なくとも一方の軒（１０２Ａ又は１０２Ｂ）の下方に配置された第３回転体（Ｒ３）であり、
該第３回転体（Ｒ３）と前記シート材（Ｓ５）とは可撓性長尺体（５０）により連結された、ことを特徴とする。
【００１２】
請求項７に係る発明は、請求項５に係る発明において、前記一方の軒（１０２Ａ）の側に配置されて積雪量を検知する第１積雪量センサ（３１）と、
前記他方の軒（１０２Ｂ）の側に配置されて積雪量を検知する第２積雪量センサ（３２）と、
これらのセンサ（３１，３２）に接続されて積雪量を比較する積雪量比較部（３３）と、
該積雪量比較部（３３）に接続されて積雪量が少ない方に雪を下ろすべく前記回転駆動手段を駆動する駆動制御部（３４）と、を備えたことを特徴とする。
【００１３】
請求項８に係る発明は、請求項４に係る発明において、前記第２回転体が位置を変更可能に構成された（図２の符号Ｒ２参照）、ことを特徴とする。
【００１４】
請求項９に係る発明は、請求項１乃至８のいずれか１項に記載の発明において、前記シート材の幅（図８の符号Ｗ３参照）は前記屋根の幅（図６(a) の符号Ｗ１参照）より広く、
前記シート材の幅方向端縁が、前記屋根の幅方向端縁よりも突出するように配置された（図８の符号ΔＷ参照）、ことを特徴とする。
【００１５】
請求項１０に係る発明は、請求項１乃至９のいずれか１項に記載の発明において、前記シート材に水を供給する給水手段（図９の符号６０参照）を備えたことを特徴とする。
【００１６】
請求項１１に係る発明は、請求項１０に係る発明において、前記給水手段は、前記シート材に対向するように該シート材の幅方向に沿って延設されると共に複数の孔部を有するパイプ部材であり、該孔部から前記シート材に水を供給するように構成された、ことを特徴とする。
【００１７】
請求項１２に係る発明は、請求項１乃至１１のいずれか１項に記載の発明において、前記シート材は、太陽光の反射率の高い第１シート部と、太陽光の反射率が該第１シート部に比べて低い第２シート部と、からなる、ことを特徴とする。
【００１８】
なお、括弧内の番号などは、図面における対応する要素を示す便宜的なものであり、従って、本記述は図面上の記載に限定拘束されるものではない。
【発明の効果】
【００１９】
請求項１及び３に係る発明によれば、シート材は屋根の表面に沿ってスムーズに移動するので、雪下ろしを円滑に行うことができる。
【００２０】
請求項２に係る発明によれば、シート材の上面に形成された凹凸により雪をシート材と共に移動させることができ、雪下ろしを確実に行うことができる。
【００２１】
請求項４に係る発明によれば、前記第１回転体及び前記第２回転体によってシート材を確実に移動させることができ、雪下ろしを確実に行うことができる。
【００２２】
請求項５に係る発明によれば、第２回転体の回転方向を切り換えることにより、一方の軒の側に雪を落とすか、或いは他方の軒の側に雪を落とすかを選択することができる。
【００２３】
請求項６に係る発明によれば、第３回転体を建物に取り付ける必要が無いため、建物の強度や構造の制約を受けることなく第３回転体等を配置することができる（詳細は後述する）。また、第３回転体を低い位置に配置することができるため、該回転体等の保守点検作業が容易となる（詳細は後述する）。さらに、シート材自体は回転体に巻き取られないため、シート材の形状や材質の選択の余地が広がる（詳細は後述する）。また、第３回転体は、シート材自体を巻き取る物ではないので、長尺状でなくても良く、その分、装置をコンパクトにできる（詳細は後述する）。
【００２４】
請求項７に係る発明によれば、積雪量が少ない方を自動的に検知して該少ない方に雪を下ろすことができる。
【００２５】
請求項８に係る発明によれば、雪を下ろす位置を変えたり、夏場の日よけとしてシート材を利用したりすることができる。
【００２６】
請求項９に係る発明によれば、シート材の幅方向端縁が庇となって張り出した形となり、シート材と屋根との間に雪が入り込みにくいように出来る。
【００２７】
請求項１０及び１１に係る発明によれば、夏場には、水が蒸発するときの気化熱によって温度を下げることができる
【００２８】
請求項１２に係る発明によれば、夏場は第１シート部で屋根を覆うようにしておいて太陽光を反射するようにし、冬場は第２シート部で屋根を覆うようにしておいて太陽光を吸収して雪を溶かすようにできる。
【発明を実施するための最良の形態】
【００２９】
以下、図１乃至図６に沿って、本発明を実施するための最良の形態について説明する。ここで、図１は、本発明に係る屋根用落雪装置の構造の第１形態を示す模式図であり、図２は、本発明に係る屋根用落雪装置の構造の第２形態を示す模式図であり、図３は、本発明に係る屋根用落雪装置の構造の第３形態を示す模式図であり、図４は、本発明に係る屋根用落雪装置の構造の第４形態を示す模式図であり、図５は、本発明に係る屋根用落雪装置の構造の第５形態を示す模式図であり、図６は、図５に示す装置の作動状態の一例を示す模式図である。
【００３０】
本発明に係る屋根用落雪装置は、切り妻屋根や寄棟屋根や入母屋屋根や片流れ屋根や陸屋根等の屋根（建物の屋上も含む概念である）から雪を下ろすための装置である。本発明に係る屋根用落雪装置は、例えば、図１に符号Ａ１で例示するものであって、屋根１００を覆うように配置される可撓性のシート材Ｓ１と、回転自在に支持されると共にシート材Ｓ１の少なくとも一縁部が連結された回転体Ｒ１と、該回転体Ｒ１を回転駆動する回転駆動手段（不図示）と、を備えている。なお、図１には、２枚のシート材Ｓ１と、２つの回転体Ｒ１とが示されているが、１枚のシート材において少なくとも一つの縁部が一つの回転体に連結されていれば良く、シート材の枚数や回転体の個数は適宜変更できる（詳細は後述する）。このような装置において、回転駆動手段によって回転体Ｒ１が回転駆動されると、前記シート材Ｓ１は屋根１００に沿って移動され（矢印Ｕ及びＤ参照）、シート材Ｓ１上に積もった雪は軒下１０５に滑り落ちる。前記シート材Ｓ１を矢印Ｄ方向に移動させると雪は当然に滑り落ちるが、屋根１００の傾斜角度が急であれば、前記シート材Ｓ１を矢印Ｕの方向に移動させても雪は滑り落ちるので、どちらを利用しても良い。本発明によれば、シート材Ｓ１は屋根１００の表面に沿ってスムーズに移動するので、雪下ろしを円滑に行うことができる。ここで、回転駆動手段の好適な例としては電動モータを挙げることができるが、手動で回すようなハンドルのようなものを権利範囲から除外するものではない。なお、回転駆動手段に電動モータを用いた場合には、
・  ユーザがスイッチ等でオンオフできるようにしても、
・  屋根の上等に積雪センサを配置しておいて、該センサからの信号により自動的にオンオフされるようにしても、
・  さらには、ブザーやチャイムやディスプレイ等の告知手段を前記積雪センサに接続しておいて、積雪量が所定以上になったときに適当な方法で告知を行うようにしても（その場合の回転駆動手段のオンオフはユーザがスイッチを押して行うこととなる）、
いずれでも良い。
【００３１】
なお、図１に示す回転体（以下、“第１回転体”とする）Ｒ１は、屋根１００の棟１０１に沿って配置された長尺状の部材（例えば、円筒状や円柱状の部材）であり、棟１０１の上方に配置されている。また、図１に示すシート材Ｓ１は、屋根１００の棟１０１から軒１０２Ａ及び１０２Ｂにかけて配置されていて、その上縁部は前記第１回転体Ｒ１に連結されている。ここで、図１では、シート材Ｓ１と第１回転体Ｒ１とは直接連結されているが、もちろんこれに限られるものではなく、ロープ等の部材を介して連結されるようにしても良い。また、図１に示す第１回転体Ｒ１は円形断面であるが、もちろんこれに限られるものではなく、円形以外の断面にしても良い。さらに、回転駆動手段は、第１回転体Ｒ１の近傍に配置しても、該近傍に配置しなくても良い。
【００３２】
図１に示す装置Ａ１において、シート材Ｓ１が下方向Ｄにスムーズに移動するようにするには、シート材Ｓ１と屋根１００との間に低摩擦部材（回転自在なローラーや、低摩擦材料にて形成した部材）１０６を配置したり、シート材Ｓ１の下縁部に重り（不図示）をぶら下げたりすると良いが、図２に示す装置Ａ２のように第２回転体Ｒ２を配置しても良い。すなわち、屋根１００の軒１０２Ａ及び１０２Ｂに沿うように長尺状の第２回転体Ｒ２を（例えば、軒裏１０７に）それぞれ配置し、シート材Ｓ２の下縁部を該第２回転体Ｒ２に連結すると良い。このように構成した場合には、第１回転体Ｒ１及び第２回転体Ｒ２によってシート材Ｓ２を確実に移動させることができ、雪下ろしを確実に行うことができる。ここで、図２では、シート材Ｓ２と第２回転体Ｒ２とは直接連結されているが、もちろんこれに限られるものではなく、ロープ等の部材を介して連結されるようにしても良い。また、図２に示す第２回転体Ｒ２は円形断面であるが、もちろんこれに限られるものではなく、円形以外の断面にしても良い。さらに、回転駆動手段は、第２回転体Ｒ２の近傍に配置しても、該近傍に配置しなくても良い。また、第１回転体Ｒ１及び第２回転体Ｒ２は、別々の回転駆動手段にて回転駆動されるようにしても、同じ回転駆動手段にて回転駆動されるようにしても良い。さらに、図１及び図２に示す屋根１００は切り妻屋根であるが、装置Ａ１，Ａ２を寄棟屋根や入母屋屋根に用いても良い。また、シート材Ｓ１，Ｓ２の長さ（上下の長さ）は、屋根の２倍の長さにすると良い。
【００３３】
上述した第２回転体Ｒ２は、位置を変更できるように構成しておくと良い。例えば、建物の側壁に近接する位置（例えば、図２の符号Ｒ２に示す位置）と、建物の側壁から離間する位置（例えば、図２の符号Ｒ２’に示す位置）とに前記第２回転体の位置を変更できるようにしておくと良い。そのように構成した場合には、雪を下ろす位置を変えたり、夏場の日よけとしてシート材を利用したりすることができる。
【００３４】
ところで、屋根用落雪装置を、図３に符号Ａ３で示す構造としても良い。すなわち、シート材は、一方の軒１０２Ａから他方の軒１０２Ｂにかけて配置し（符号Ｓ３参照）、回転体としては、それぞれの軒１０２Ａ，１０２Ｂに沿うように第２回転体Ｒ２だけを少なくとも２つ配置して（つまり、第１回転体Ｒ１は配置せず）、前記シート材Ｓ３の各縁部を各第２回転体Ｒ２に連結すると良い。そのように構成した場合には、第２回転体Ｒ２の回転方向を切り換えることにより、一方の軒１０２Ａの側に雪を落とすか、或いは他方の軒１０２Ｂの側に雪を落とすかを選択することができる。ここで、図３では、シート材Ｓ３と第２回転体Ｒ２とは直接連結されているが、もちろんこれに限られるものではなく、ロープ等の部材を介して連結されるようにしても良い。また、図３に示す第２回転体Ｒ２は円形断面であるが、もちろんこれに限られるものではなく、円形以外の断面にしても良い。なお、図３に示す屋根用落雪装置Ａ３は切り妻屋根に取り付けられているが、図４に示す装置Ａ４のように、陸屋根（或いは、建物の屋上）に取り付けても良い。図４中の符号Ｓ４はシート材を示す。
【００３５】
上述したように、各シート材と回転体とは、ロープ等の部材を介して連結するようにしても良いが、図５に、その一例を示す。図５に示す屋根用落雪装置Ａ５は、屋根１００を覆うように配置された可撓性のシート材Ｓ５と、回転自在に支持された第３回転体Ｒ３と、該第３回転体Ｒ３にシート材Ｓ５の縁部を連結する可撓性長尺体（例えば、ロープ）５０と、を備えている。また、第３回転体Ｒ３が収納されているケースには、該回転体を回転駆動するための回転駆動手段（不図示）も収納されている。いま、回転駆動手段によって第３回転体Ｒ３を回転駆動すると、シート材Ｓ５は屋根１００に沿って移動され（図６(a)及び(b)参照）、雪を下ろすことができる。なお、図５においては、回転体Ｒ３は、地面に設置されているが、軒１０２Ａ又は１０２Ｂの下方に配置されていれば、地面に固定されていなくても良い。また、図５によれば、第３回転体Ｒ３（及び、可撓性長尺体５０）は、家の手前側と向こう側にそれぞれ２つずつ（３つのみ図示）配置されているが、もちろんこれに限られるものではなく、様々な形態を考えることができる。例えば、
・  家の手前側と向こう側とに１つずつ配置しても、
・  家の手前側と向こう側とに３つ以上ずつ配置しても、
・  家の手前側に配置した回転体Ｒ３の数と、家の向こう側に配置した回転体Ｒ３の数とを一致させなくても、
・  回転体Ｒ３を、家の手前側又は向こう側のいずれか一方だけに配置し、他方においてはシート材Ｓ５に重りをぶら下げても、
いずれの形態でも良い。つまり、第３回転体Ｒ３は、少なくとも一方の軒１２０Ａ又は１２０Ｂの下方に配置されていれば足りる。
【００３６】
以下、図５に示す屋根用落雪装置Ａ５の効果を記載する。
(1)  本発明に係る装置の場合、建物側面の窓１０３や入り口１０４がシート材により一時的に閉塞されることはやむを得ないものの、常に閉塞されることは避けなければならない。そのため、図１乃至図４に示す装置においては回転体Ｒ１，Ｒ２は、屋根１００の棟１０１や軒１０２Ａ，１０２Ｂに取り付ける必要があった。しかし、建物によっては、強度不足等のために回転体を取り付けることができない場合もある。これに対し、図５のように回転体Ｒ３とシート材Ｓ５との間に可撓性長尺体５０を配置した場合には、窓１０３や入り口１０４の閉塞を気にせずに回転体Ｒ３を低い位置に配置することができる。このため、回転体Ｒ３等を建物に取り付ける必要が無くなり、建物の強度や構造の制約を受けることなく回転体Ｒ３等を配置することができる。また、回転体Ｒ３を低い位置に配置することができるため、回転体Ｒ３等の駆動部の保守点検作業が容易となる。
(2)  図１乃至図４に示すように、シート材が回転体に巻き取られるように構成する場合には、シート材の形状や材質を、巻き取りが可能なものにしなければならないが、図５に示すシート材は回転体に巻き取られないため、シート材の形状や材質の選択の余地が広がる。
(3)  図１乃至図４の装置の場合には、回転体は、シート材を巻き取ることができるような長尺状の部材でなければならないが、図５の装置の場合には回転体がシート材自体を巻き取る必要は無いので、長尺状でなくても良く、その分、装置をコンパクトにできる。
【００３７】
ところで、図１及び図２に示す構造の装置の場合、屋根に積もった雪は下に落とされるだけであるが、図３乃至図５に示す装置の場合には、回転体Ｒ２，Ｒ３の回転方向を切り換えることにより、建物のどちら側に雪を落とすかを選択することができる。例えば、雪が溶けやすい南側に優先的に雪を落とすことも可能となる。なお、図３乃至図５においては、雪を落としたくない側には、予め落雪防止柵を設けておいても良い。
【００３８】
建物のどちら側に雪を落とすかの選択は積雪量センサによって自動的に行っても良い。例えば、図３に示すように、積雪量を検知する第１積雪量センサ３１を一方の軒１０２Ａの側に配置し、積雪量を検知する第２積雪量センサ３２を他方の軒１０２Ｂの側に配置し、積雪量を比較する積雪量比較部３３をこれらのセンサ３１，３２に接続し、前記回転駆動手段３５Ａ，３５Ｂを駆動する駆動制御部３４を該積雪量比較部３３に接続して、積雪量が少ない方を自動選択して、雪下ろしを行うようにすると良い。なお、上述のような積雪量センサーには公知のセンサーを用いると良い。例えば、出射した赤外線が雪面に反射されて戻ってくることを利用するセンサーを用いると良い。
【００３９】
ところで、シート材には、雪が氷結しにくいアラミドシートを用いると良い。また、図１及び図２に示すシート材Ｓ１，Ｓ２の場合、雪を下ろすだけなので、雪が滑りやすい低摩擦のものを用いると良い。その場合、該シート材Ｓ１，Ｓ２にヒータ（熱線）を組み込んでシート材Ｓ１，Ｓ２に接触している雪面を溶かすようにしても良い。他方、図３及び図５に示すシート材Ｓ３，Ｓ５の場合、棟１０１を乗り越えさせて雪を移動しなければならないため、シート材の上面は高摩擦である方が良い。例えば、上面に凹凸を有するもの（例えば、ゴムキャタピラのようなもの）を使用すると良い。該凹凸により雪をシート材と共に移動させることができ、雪下ろしを確実に行うことができる。
【００４０】
一方、シート材の枚数や回転体の数は、自由に設定すれば良い。例えば、片流れ屋根などにおいては、１枚のシート材と１つの回転体を配置すれば良い。
【００４１】
ところで、図６(a)に示す装置では、シート材Ｓ５は、屋根１００の幅Ｗ１に等しい幅Ｗ２で、１枚だけ配置されているが、シート材の幅を屋根１００の幅Ｗ１の半分にして２枚ならべても、３分の１にして３枚ならべても良い。図１乃至図４に示す装置においても同様で、シート材を屋根の幅方向に沿って複数配置しても良い。その場合には、第１回転体Ｒ１や第２回転体Ｒ２は、シート材の幅と同程度の長さにすると共に、屋根１００の棟１０１や軒１０２Ａ，１０２Ｂに沿って直列に複数配置しても良い。
【００４２】
また、上述のようにシート材の幅（例えば、図６(a)の符号Ｗ２参照）を屋根１００の幅Ｗ１に等しくするのではなく、シート材の幅（図８の符号Ｗ３参照）を屋根１００の幅（図６(a)の符号Ｗ１参照）よりも広くして、該シート材の少なくとも一方の幅方向端縁が、前記屋根１００の幅方向端縁よりも突出するように配置しておくと良い（図８の符号ΔＷ参照）。好ましくは、該シート材の両方の幅方向端縁が、前記屋根１００のそれぞれの幅方向端縁よりも突出するようにしておくと良い。シート材と屋根１００との間に雪が入りこんだ場合にはシート材の円滑な移動を阻害するおそれもあるが、上述のように構成した場合には、シート材の幅方向端縁が庇となって屋根端縁から張り出した形となり、シート材と屋根１００との間に雪が入り込みにくいように出来る。
【００４３】
さらに、図９に例示するように、シート材Ｓ１に水６１を供給する給水手段６０を設けておいて、夏場には、該シート材Ｓ１に水を供給し、水が蒸発するときの気化熱によって温度を下げられるようにしておいても良い。図９に示す給水手段６０は、前記シート材Ｓ１に対向するように該シート材の幅方向に沿って延設されるパイプ部材であり、該パイプ部材には、長手方向に沿って複数の孔部が形成されていて、それらの孔部からシート材Ｓ１に水６１を供給するようになっている。なお、水は、シート材の広い領域に供給されるようにする必要がある。そのための方法としては、
・  給水手段をスプリンクラーのような構造にして、シート材の全面に水を散布する方法
・  切り妻屋根のように屋根自体が傾斜していてシート材も傾斜するように配置される場合には、水は、シート材の最も高い部分に供給できるようにしておいて、水がシート材に沿って流れ落ちるようにする方法（図９参照）
等が考えられる。ところで、図９に示す第１回転体Ｒ１を給水手段として、多数の小孔を設けて給水できるようにしておいても良い。そのようにした場合、第１回転体Ｒ１にシート材Ｓ１が巻き付けられている場合には該シート材Ｓ１が小孔を覆うこととなるので、
・  シート材Ｓ１が巻き付けられていない状態のときに水を流すようにする方法
・  シート材Ｓ１を不織布等のような水を通す材質にしておいて、シート材Ｓ１が巻き付けられていても水を流すことができるようにする方法
を取るようにすると良い。なお、シート材を不織布等にする場合には、給水パイプはシート材の裏側に配置しておいて、シート材の裏面に水を供給するようにしても良い。
【００４４】
ところで、シート材の材質や色は、シート材の全面に亘って同じにするのではなく、異ならせても良い。例えば、前記シート材を、太陽光の反射率の高い第１シート部と、太陽光の反射率が前記第１シート部に比べて低い第２シート部と、により構成すると良い。第１シート部は、例えば白色に着色したり、反射率の高い材質で形成したりすると良い。第２シート部は、例えば黒色に着色したりすると良い。このように構成した場合には、夏場は第１シート部で屋根を覆うようにしておいて太陽光を反射するようにし、冬場は第２シート部で屋根を覆うようにしておいて太陽光を吸収して雪を溶かすようにできる。
【図面の簡単な説明】
【００４５】
【図１】図１は、本発明に係る屋根用落雪装置の構造の第１形態を示す模式図である。
【図２】図２は、本発明に係る屋根用落雪装置の構造の第２形態を示す模式図である。
【図３】図３は、本発明に係る屋根用落雪装置の構造の第３形態を示す模式図である。
【図４】図４は、本発明に係る屋根用落雪装置の構造の第４形態を示す模式図である。
【図５】図５は、本発明に係る屋根用落雪装置の構造の第５形態を示す模式図である。
【図６】図６は、図５に示す装置の作動状態の一例を示す模式図である。
【図７】図７は、従来の屋根用落雪装置の構造の一例を示す模式図である。
【図８】図８は、本発明に係る屋根用落雪装置の構造の他の例を示す模式図である。
【図９】図９は、本発明に係る屋根用落雪装置の構造のさらに他の例を示す模式図である。
【符号の説明】
【００４６】
３１          第１積雪量センサ
３２          第２積雪量センサ
３３          積雪量比較部
３４          駆動制御部
３５Ａ，３５Ｂ    回転駆動手段
５０          可撓性長尺体
１００          屋根
１０１          棟
１０２Ａ，１０２Ｂ      軒
Ａ１，Ａ２，Ａ３，Ａ４，Ａ５      屋根用落雪装置
Ｒ１            第１回転体
Ｒ２            第２回転体
Ｒ３            第３回転体
Ｓ１，Ｓ２，Ｓ３，Ｓ４，Ｓ５      シート材
【図１】
2007009531.tif 000003
【図２】
2007009531.tif 000004
【図３】
2007009531.tif 000005
【図４】
2007009531.tif 000006
【図５】
2007009531.tif 000007
【図６】
2007009531.tif 000008
【図７】
2007009531.tif 000009
【図８】
2007009531.tif 000010
【図９】
2007009531.tif 000011